(57)【特許請求の範囲】
【請求項１】
車両に搭載される情報提示装置（１）であって、
規定された対象である誘目対象に向かって前記車両の後方から延出するように、前記車両のドアの車室内側に複数の発光素子（１２，３２）が少なくとも１列の列状に配置された発光部（１０，３０）と、
予め規定された条件を満たすと、前記複数の発光素子を配置順序に従って順次切り替えながら発光させるように、前記発光部を制御する制御部（５２）と、
を備え、
前記発光部を構成する列状に配置された複数の発光素子における車両前方側の端部を前方端（２６，４６）とし、
前記発光部は、
前記前方端が、前記車両の車高方向に沿って当該車両のドアノブ（１２５）よりも高い位置に配置され、
前記予め規定された条件は、前記車両の助手席側に前記車両に接近してくる物体が存在しており、前記助手席側への車線への進路変更の予定があること、または、前記車両の運転席側に前記車両に接近してくる物体が存在しており、前記運転席側への車線への進路変更の予定があること、である
ことを特徴とする情報提示装置。
【請求項２】
前記誘目対象は、複数存在し、
前記発光部は、
前記誘目対象の１つである主誘目対象へと向かう前記発光素子の列である主発光部（７０）と、
前記主誘目対象とは異なる誘目対象である副誘目対象へと向かう発光素子の列であり、
前記主発光部から分岐する副発光部（７２）と
を備えることを特徴とする請求項１に記載の情報提示装置。
【請求項３】
車両に搭載される情報提示装置（１）であって、
規定された対象である誘目対象に向かって前記車両の後方から延出するように、前記車両のドアの車室内側に複数の発光素子（１２，３２）が少なくとも１列の列状に配置された発光部（１０，３０）と、
予め規定された条件を満たすと、前記複数の発光素子を配置順序に従って順次切り替えながら発光させるように、前記発光部を制御する制御部（５２）と、
を備え、
前記発光部を構成する列状に配置された複数の発光素子における車両前方側の端部を前方端（２６，４６）とし、
前記発光部は、
前記前方端が、前記車両の車高方向に沿って当該車両のドアノブ（１２５）よりも高い位置に配置され、
前記誘目対象は、複数存在し、
前記発光部は、
前記誘目対象の１つである主誘目対象へと向かう前記発光素子の列である主発光部（７０）と、
前記主誘目対象とは異なる誘目対象である副誘目対象へと向かう発光素子の列であり、前記主発光部から分岐する副発光部（７２）と、
を備える
ことを特徴とする情報提示装置。
【請求項４】
前記誘目対象は、
前記車両に設けられたサイドミラー（１０５）であることを特徴とする請求項１から請求項３までのいずれか一項に記載の情報提示装置。
【請求項５】
前記誘目対象は、
前記車両に搭載されたヘッドアップディスプレイからの映像が投影される投影部（１１０）であることを特徴とする請求項１から請求項４までのいずれか一項に記載の情報提示装置。
【請求項６】
前記発光部は、
前記複数の発光素子が複数の列状に配置されていることを特徴とする請求項１から請求項５までのいずれか一項に記載の情報提示装置。
【請求項７】
前記発光部は、
助手席側のドアに設けられていることを特徴とする請求項１から請求項６までのいずれか一項に記載の情報提示装置。
【請求項８】
前記発光部は、
運転席側のドアに設けられていることを特徴とする請求項１から請求項７までのいずれか一項に記載の情報提示装置。
【請求項９】
前記発光部は、
前記ドアにおける車室内側の表面の少なくとも一部を形成する第１部位（１２２）と、前記ドアにおける車室内側の表面を形成し、前記第１部位とは異なる部位である第２部位（１２４）とに挟まれるように配置されていることを特徴とする請求項１から請求項８までのいずれか一項に記載された情報提示装置。
【請求項１０】
前記発光部が有する発光素子は、前記ドアにおける車室内側の外表面よりも車室外側に配置されていることを特徴とする請求項１から請求項９までのいずれか一項に記載された情報提示装置。
【発明の詳細な説明】
【技術分野】
【０００１】
本発明は、車両に搭載される情報提示装置に関する。
【背景技術】
【０００２】
従来、自動車に搭載される照明装置であって、光源と、光散乱領域を有する棒状導光体とを備えた照明装置が知られている（特許文献１参照）。棒状導光体は、筒状の部材であり、光を通過する矩形状の孔が光散乱領域として間欠的に設けられている。
【０００３】
この特許文献１に記載された照明装置は、自動車の車室内において、車高方向に沿って下方に配置されている。
【先行技術文献】
【特許文献】
【０００４】
【特許文献１】特開２００９−１２６１９３号公報
【発明の概要】
【発明が解決しようとする課題】
【０００５】
自動車の車室内に搭載され、かつ発光体を有した装置においては、自動車運転の安全性を向上させるために、自動車の運転者が当該自動車の運転中に視認すべき対象（以下、誘目対象と称す）へと運転者の視線を誘導することが求められている。
【０００６】
しかしながら、特許文献１に記載された照明装置の配置位置は、自動車の車室内において下方である。このため、特許文献１に記載された照明装置では、利用者の視線を誘目対象へと誘導することが困難であるという課題がある。
【０００７】
そこで、本発明は、利用者の視線を誘目対象へと容易に誘導可能な技術を提供することを目的とする。
【課題を解決するための手段】
【０００８】
上記目的を達成するためになされた本発明は、車両に搭載される情報提示装置（１）に関する。
本発明の情報提示装置は、発光部（１０，３０）と、制御部（５２）とを備えている。
【０００９】
発光部は、規定された対象である誘目対象に向かって車両の後方から延出するように、車両のドアの車室内側に複数の発光素子（１２，３２）が少なくとも１列の列状に配置されている。制御部は、予め規定された条件を満たすと、誘目対象に向かって発光素子が発光されるように発光部を制御する。
【００１０】
本発明においては、発光部を構成する列状に配置された複数の発光素子における車両前方側の端部を前方端とする。そして、本発明における発光部は、前方端が、車両の車高方向に沿って当該車両のドアノブ（１２５）よりも高い位置に配置される。
【００１１】
一般的な誘目対象は、自動車を運転中の運転者の視界内に存在するように、車高方向に沿って車両のドアノブよりも高い位置に存在することが多い。
そして、本発明の情報提示装置においては、発光部を構成する列状に配置された複数の発光素子における前方側の端部（即ち、前方端）が、車両の車高方向に沿って当該車両のドアノブよりも高い位置に配置されている。したがって、本発明の情報提示装置によれば、運転者は、発光部における発光素子が発光したことを、運転中の視線を大きく変更することなく視認できる。この結果、本発明の情報提示装置によれば、少ない視線移動で運転者の視線を誘目対象へと向けさせることができる。
【００１２】
換言すれば、本発明の情報提示装置によれば、利用者の視線を誘目対象へと容易に誘導できる。
【図面の簡単な説明】
【００１３】
【図１】本発明が適用された情報提示装置の概略構成を説明するブロック図である。
【図２】情報提示装置が備える発光部の構成を説明する説明図である。
【図３】発光基板を説明する説明図である。
【図４】第１実施形態における発光部の配置態様を示す説明図である。
【図５】第１実施形態における発光部の配置態様を示す説明図である。
【図６】情報提示処理の処理手順を示すフローチャートである。
【図７】第２実施形態における発光部の配置態様を示す説明図である。
【図８】発光部の配置態様の変形例を示す説明図である。
【図９】発光基板の変形例を説明する説明図である。
【発明を実施するための形態】
【００１４】
以下に本発明の実施形態を図面と共に説明する。
［第１実施形態］
＜情報提示装置＞
図１に示す情報提示装置１は、自動車に搭載される装置である。
【００１５】
この情報提示装置１は、発光部１０，３０と、制御系５０とを備え、発光部１０，３０における発光態様を制御することで、各種情報を乗員に提示する。
このうち、発光部１０は、制御系５０からの制御信号に従って発光する複数の発光素子１２−１〜１２−Ｎを備えている。発光部１０が備える複数の発光素子１２−１〜１２−Ｎは、自車両の運転席側のドアに少なくとも１列の列状に配置される。なお、ここでの符号「Ｎ」は、発光素子１２を識別する識別子であり、発光素子１２の個数を表す。
【００１６】
発光部３０は、制御系５０からの制御信号に従って発光する複数の発光素子３２−１〜３２−Ｌを備えている。発光部３０が備える複数の発光素子３２−１〜３２−Ｌは、自車両の助手席側のドアに少なくとも１列の列状に配置される。なお、ここでの符号「Ｌ」は、発光素子３２を識別する識別子であり、発光素子３２の個数を表す。本実施形態においては、発光素子３２の個数は、発光素子１２の個数と同数であっても良いし、異なる個数であっても良い。
＜発光部の構成＞
次に、発光部１０，３０の構成について説明する。
【００１７】
発光部１０と発光部３０とは、配置位置が異なることを除けば、同様に構成されている。このため、実施形態においては、発光部１０の構成を中心に説明し、発光部３０については、発光部３０を構成する各部の符号を、発光部１０を構成する各部の後ろの括弧内に付して、説明を省略する。
【００１８】
発光部１０（３０）は、図２に示すように、ハウジング１６（３６）と、ベゼル２２（４２）と、レンズ２４（４４）と、発光基板１４（３４）とを備え、全体として長尺状に形成されている。
【００１９】
ハウジング１６（３６）は、複数の発光素子１２（３２）を収納する部材であり、第１壁部１８（３８）と第２壁部２０（４０）とを備える。第１壁部１８（３８）と第２壁部２０（４０）とは、両者の間に隙間を形成するように配置される。レンズ２４（４４）は、発光素子１２（３２）からの光を集光・発散する部材である。ベゼル２２（４２）は、ハウジング１６（３６）にレンズ２４（４４）を保持する部材である。
【００２０】
本実施形態における発光基板１４（３４）は、図３に示すように、長尺状に形成された基板である。この発光基板１４（３４）の表面上に、複数の発光素子１２（３２）が少なくとも１列の列状に配置される。
【００２１】
なお、本実施形態における発光素子１２（３２）は、発光ダイオードである。この発光ダイオードは、光の三原色を発光可能に構成された周知のものである。ただし、本発明における発光素子は、発光ダイオードに限るものではなく、例えば、有機ＥＬであっても良いし、電球などのその他の発光素子であっても良い。
＜発光部の配置＞
そして、発光部１０，３０は、図４に示すように、自動車のフロントドアの車室内側において、規定された対象である誘目対象に向かって自車両の後方から延出するように配置されている。ここで言うフロントドアには、運転席側に設けられる運転席側ドアと、助手席側に設けられる助手席側ドアとを含む。具体的には、発光部１０は、運転席側のドアに配置されている。発光部３０は、助手席側のドアに配置されている。
【００２２】
ここで言う誘目対象とは、自動車の運転者が当該自動車の運転中に視認することが好ましい対象である。この誘目対象には、例えば、「道路に標示された線」１００、自車両に設けられたサイドミラー１０５、車両に搭載されたヘッドアップディスプレイからの映像が投影される投影部１１０を含む。なお、「道路に標示された線」１００とは、道路の交通に関し、規制又は指示を表示する標示であり、路面に描かれた線である。この「道路に標示された線」には、例えば、車道中央線、車線境界線、車道外側線などを含む。
【００２３】
さらに、本実施形態においては、発光部１０（３０）は、図５に示すように、車両の前方から後方に掛けて屈曲するように配置されている。具体的には、フロントドアにおいてＡピラーと接触する部位の近傍に前方端２６（４６）が配置される。なお、一般的な自動車においては、フロントドアのＡピラーと接触する部位の近傍に、サイドミラー１０５が設けられている。また、自動車のフロントガラスにおける運転席側の領域には、ヘッドアップディスプレイからの映像が投影される投影部１１０が形成される。
【００２４】
そして、発光部１０（３０）における前方端２６（４６）から屈曲点２７（４７）までの部位は、ドアパネルの上端部に沿って配置されている。この前方端２６（４６）から屈曲点２７（４７）までの部位は、運転席に着座した運転者のアイポイントから、誘目対象の１つである「道路に標示された線」１００へと視線を向けた場合に、その「道路に標示された線」１００から連続した線として視認可能な態様で配置されている。さらに、発光部１０（３０）における後方端２８（４８）は、フロントドアに設けられたアームレストにおける全長方向に沿った前方側の端部に配置される。
【００２５】
なお、本実施形態においては、発光部１０（３０）における前方端２６（４６）は、自車両の車高方向に沿って当該車両のフロントドアのドアノブ１２５よりも高い位置に配置される。これは、一般的な誘目対象であるサイドミラー１０５や投影部１１０は、自動車を運転中の運転者の視界内に存在するように、車高方向に沿って車両のドアノブ１２５よりも高い位置に配置されていることが多いためである。
【００２６】
実施形態における前方端２６（４６）は、発光部１０（３０）における車両前方側の端部であり、発光部１０（３０）を構成する列状に配置された複数の発光素子１２，３２における車両前方側の端部を含む。一方、後方端２８（４８）は、発光部１０（３０）における車両後方側の端部であり、発光部１０（３０）を構成する列状に配置された複数の発光素子１２，３２における車両前方側の端部を含む。例えば、本実施形態においては、後方端２８（４８）に位置する発光素子１２（３２）の識別符号を「１」とし、前方端２６（４６）に位置する発光素子の識別符号を「Ｎ」，「Ｌ」とする。
【００２７】
なお、発光部１０（３０）は、フロントドアにおける車室内側のドアトリム１２０の少なくとも一部を形成する第１部位１２２と、ドアトリム１２０のうちの第１部位１２２とは異なる部位である第２部位１２４とに挟まれるように配置されている（図２参照）。ここで言う「挟まれるように」とは、ドアトリム１２０を構成する複数の部材によって挟み込むことでも実現しても良いし、１つのドアトリム１２０に凹部を設け、その凹部に発光部１０（３０）を設けることで実現しても良い。
【００２８】
また、本実施形態における発光部１０（３０）においては、発光部１０（３０）が有する発光素子１２（３２）は、フロントドアにおける車室内側の外表面よりも車室外側に配置されている。
＜制御系＞
次に、情報提示装置１が備える制御系５０は、制御部５２と、情報取得部６２とを備えている（図１参照）。
【００２９】
このうち、情報取得部６２は、自車両の走行状態及び自車両の周辺の状況を取得する。この情報取得部６２には、自車両の走行状態を取得する機構として、自車両の車室内を撮像するカメラや、自車両に設けられた方向指示器の状態を検出する方向指示スイッチ、イグニッションスイッチなどを含む。また、情報取得部６２には、自車両の周辺の状況を取得する機構として、自車両の周辺を撮像するカメラや、自車両の周辺の状況をセンシングするセンシング装置を含む。ここで言うセンシング装置には、探査波を送受信した結果に基づいて、物体の位置、及び自車両と物体との相対速度、当該物体の大きさを検出する物体検出装置を含む。
【００３０】
制御部５２は、電源が切断されても記憶内容を保持する必要がある処理プログラムやデータを格納するＲＯＭ５４と、処理プログラムやデータを一時的に格納するＲＡＭ５６と、ＲＯＭ５４やＲＡＭ５６に記憶された処理プログラムに従って各種処理を実行するＣＰＵ５８とを少なくとも有した周知のコンピュータを中心に構成されている。
【００３１】
このうち、ＲＯＭ５４には、情報取得部６２にて取得した自車両の走行状態及び自車両の周辺の状況に従って、発光部１０，３０（ひいては、発光素子１２−１〜１２Ｎ，発光素子３２−１〜発光素子３２−Ｌ）を制御する情報提示処理を制御部５２が実行するための処理プログラムが格納されている。
＜情報提示処理＞
次に、制御部５２が実行する情報提示処理について説明する。
【００３２】
この情報提示処理は、予め規定された規定時間間隔で繰り返し起動される。
そして、情報提示処理が起動されると、図６に示すように、制御部５２は、情報取得部６２にて取得した自車両の周辺の状況に基づいて、自車両の助手席側に自車両に接近してくる物体（例えば、接近車両）が存在するか否かを判定する（Ｓ１１０）。このＳ１１０での判定の結果、自車両の助手席側に自車両に接近してくる物体が存在していなければ（Ｓ１１０：ＮＯ）、制御部５２は、予め規定された第１発光態様で発光部３０が発光するように、発光部３０を制御する（Ｓ１２０）。Ｓ１２０における第１発光態様とは、例えば、発光部３０における規定区間に配置された全ての発光素子３２が、第１規定色（例えば、白色）での発光を継続する発光態様である。本実施形態における規定区間とは、前方端２６，４６から屈曲点２７，４７までの区間である。
【００３３】
制御部５２は、その後、詳しくは後述するＳ１６０へと情報提示処理を移行させる。
一方、Ｓ１１０での判定の結果、自車両の助手席側に自車両に接近してくる物体が存在していれば（Ｓ１１０：ＹＥＳ）、制御部５２は、情報取得部６２にて取得した方向指示器の状態に基づいて、助手席側の車線への進路変更の予定の有無を判定する（Ｓ１３０）。このＳ１３０での判定の結果、助手席側の車線への進路変更の予定が無ければ（Ｓ１３０：ＮＯ）、制御部５２は、第１発光態様とは異なる態様として規定された第２発光態様で発光部３０が発光するように、発光部３０を制御する（Ｓ１４０）。Ｓ１４０における第２発光態様とは、例えば、発光部３０における規定区間に配置された発光素子３２を、第１規定色とは異なる第２規定色（例えば、赤色）にて発光を継続する発光態様である。
【００３４】
制御部５２は、その後、情報提示処理をＳ１６０へと移行させる。
ところで、Ｓ１３０での判定の結果、助手席側の車線への進路変更の予定があれば（Ｓ１３０：ＹＥＳ）、制御部５２は、第１発光態様及び第２発光態様とは異なる態様として規定された第３発光態様で発光部３０が発光するように、発光部３０を制御する（Ｓ１５０）。Ｓ１５０における第３発光態様とは、例えば、発光部３０における発光素子３２を、配置順序に従って順次切り替えながら、第１規定色とは異なる第３規定色にて発光する発光態様である。ここでの第３規定色とは、第２規定色と同一の色であっても良いし、第２規定色とは異なる色であっても良い。
【００３５】
制御部５２は、その後、情報提示処理をＳ１６０へと移行させる。
そのＳ１６０では、制御部５２は、情報取得部６２にて取得した自車両の周辺の状況に基づいて、自車両の運転席側に自車両に接近してくる物体（例えば、接近車両）が存在するか否かを判定する。このＳ１６０での判定の結果、自車両の運転席側に自車両に接近してくる物体が存在していなければ（Ｓ１６０：ＮＯ）、制御部５２は、第１発光態様で発光部１０が発光するように、発光部１０を制御する（Ｓ１７０）。Ｓ１７０における第１発光態様とは、例えば、発光部１０における規定区間に配置された全ての発光素子１２が、第１規定色での発光を継続する発光態様である。
【００３６】
制御部５２は、その後、情報提示処理を終了し、次の起動タイミングまで待機する。
一方、Ｓ１６０での判定の結果、自車両の運転席側に自車両に接近してくる物体が存在していれば（Ｓ１６０：ＹＥＳ）、制御部５２は、情報取得部６２にて取得した方向指示器の状態に基づいて、運転席側の車線への進路変更の予定の有無を判定する（Ｓ１８０）。このＳ１８０での判定の結果、運転席側の車線への進路変更の予定が無ければ（Ｓ１８０：ＮＯ）、制御部５２は、第２発光態様で発光部１０が発光するように、発光部１０を制御する（Ｓ１９０）。Ｓ１９０における第２発光態様とは、発光部１０における規定区間に配置された発光素子１２を、第２規定色にて発光を継続する発光態様である。
【００３７】
制御部５２は、その後、情報提示処理を終了し、次の起動タイミングまで待機する。
ところで、Ｓ１８０での判定の結果、運転席側の車線への進路変更の予定があれば（Ｓ１８０：ＹＥＳ）、制御部５２は、第３発光態様で発光部１０が発光するように、発光部１０を制御する（Ｓ２００）。Ｓ２００における第３発光態様とは、例えば、発光部１０における発光素子１２を、配置順序に従って順次切り替えながら、第３規定色にて発光する発光態様である。
【００３８】
制御部５２は、その後、本情報提示処理を終了し、次の起動タイミングまで待機する。
［第１実施形態の効果］
一般的な誘目対象としてのサイドミラー１０５やヘッドアップディスプレイからの映像が投影される投影部１１０は、自動車を運転中の運転者の視界内に存在するように、車両の車高方向に沿ってフロントドアに設けられたドアノブよりも高い位置に配置されていることが多い。
【００３９】
そして、情報提示装置１においては、発光部１０，３０を構成する列状に配置された複数の発光素子１２，３２における前方側の端部（即ち、前方端２６，４６）が、車両の車高方向に沿ってフロントドアに設けられたドアノブよりも高い位置に配置されている。
【００４０】
したがって、情報提示装置１によれば、運転者は、発光部１０，３０における発光素子１２，３２が第２発光態様や第３発光態様で発光したことを、運転中の視線を大きく変更することなく視認できる。この結果、情報提示装置１によれば、少ない視線移動で運転者の視線を誘目対象へと向けさせることができる。
【００４１】
換言すれば、情報提示装置１によれば、利用者の視線を誘目対象へと容易に誘導できる。
しかも、情報提示装置１における発光部１０及び発光部３０は、運転席に着座した運転者のアイポイントから、誘目対象の１つである「道路に標示された線」１００へと視線を向けた場合に、その「道路に標示された線」１００から連続した線として視認可能な態様で配置されている。
【００４２】
このため、自車両の運転者は、第１発光態様で発光する発光部１０，３０を「道路に標示された線」１００として認識できる。
なお、情報提示装置１における発光部１０は、運転席側のドアに設けられているため、第２発光態様や第３発光態様で発光部１０が発光した場合に、運転席側の路上にて生じる自動車の周辺の状況を運転者に提示できる。
【００４３】
また、情報提示装置１における発光部３０は、助手席側のドアに設けられているため、第２発光態様や第３発光態様で発光部３０を発光させることで、助手席側の路上にて生じる自動車の周辺の状況を運転者に提示できる。
【００４４】
なお、情報提示装置１における発光部１０，３０は、ドアトリム１２０の一部の部位である第１部位１２２と第２部位１２４とに挟まれるように配置されている。また、発光部１０，３０が有する発光素子１２（３２）は、フロントドアにおける車室内側の外表面よりも車室外側に配置されている。
【００４５】
これらのことから、情報提示装置１によれば、発光部１０，３０が取り付けられたフロントドアの車室内側の美感を担保できる。
［第２実施形態］
第２実施形態の情報提示装置は、第１実施形態の情報提示装置とは、主として、発光部１０，３０の構成及び配置位置が異なる。このため、本実施形態では、第１実施形態と同様の構成及び処理には、同一の符号を付して説明を省略し、第１実施形態とは異なる発光部１０，３０の構成及び配置位置を中心に説明する。
【００４６】
本実施形態の発光部１０（３０）は、図７に示すように、主発光部７０と、副発光部７２とを備えている。
このうち、主発光部７０は、誘目対象の１つである主誘目対象へと向かう発光素子１２（３２）の列を含む。副発光部７２は、主発光部７０を構成する発光素子１２（３２）の列から分岐する発光素子１２（３２）の列を含む。
【００４７】
具体的に、主発光部７０及び副発光部７２は、ハウジング１６（３６）と、ベゼル２２（４２）と、レンズ２４（４４）と、発光基板１４（３４）とを備え、全体として長尺状に形成されている。
【００４８】
このうち、主発光部７０は、自動車のフロントドアにおける車室内側において、車両の前方側の端部から後方側の端部に渡って直線状に配置されている。具体的に本実施形態では、主発光部７０は、フロントドアの全長方向に沿った前方側の端部に前方端２６（４６）が配置される。この前方端２６（４６）は、自車両の車高方向に沿って当該車両のフロントドアに設けられたドアノブ１２５よりも高い位置に配置される。
【００４９】
すなわち、主発光部７０は、「道路に標示された線」１００やサイドミラー１０５、ヘッドアップディスプレイからの映像が投影される投影部１１０を主誘目対象として配置される。
【００５０】
後方端２８（４８）は、フロントドアの全長方向に沿った後方側の端部に配置される。後方端２８（４８）は、車高方向に沿って前方端２６（４６）よりも下方に配置される。
また、副発光部７２は、主発光部７０における車両の全長方向に沿った前方側の端部から分岐する。そして、副発光部７２は、フロントドアにおいてサイドミラー１０５のミラー面が位置する部位の近傍を経て、主発光部７０に接続されるように配置される。その接続箇所は、フロントドアに設けられたドアノブ１２５の上方であっても良い。
［第２実施形態の効果］
第２実施形態の情報提示装置によれば、自車両の状況に応じて、発光すべき対象を主発光部７０と副発光部７２との間で切り替えることができ、適切な誘目対象を運転者に誘目させることができる。
［その他の実施形態］
以上、本発明の実施形態について説明したが、本発明は上記実施形態に限定されるものではなく、本発明の要旨を逸脱しない範囲において、様々な態様にて実施することが可能である。
【００５１】
例えば、上記第１実施形態では、発光部１０，３０の後方端２８（４８）が、フロントドアに設けられたアームレストにおける全長方向に沿った前方側の端部に配置されていたが、後方端２８（４８）の配置位置は、これに限るものではない。すなわち、発光部１０，３０の後方端２８（４８）の配置位置は、フロントドア全体において全長方向に沿った後方側の端部であっても良い。
【００５２】
この場合、発光部１０，３０の後方端２８（４８）の車高方向に沿った配置位置は、図８に示すように、フロントドアの２つのドアトリム８０，８２の接合部８４であっても良いし、フロントドアに設けられたアームレストの上端部８６であっても良いし、そのアームレストの上端部８６よりも車高方向に沿って下方であっても良い。
【００５３】
また、上記第１実施形態の情報提示装置１における発光部１０，３０の前方端２６（４６）から屈曲点２７（４７）までの部位は、運転席に着座した運転者のアイポイントから、誘目対象の１つである「道路に標示された線」１００へと視線を向けた場合に、その「道路に標示された線」１００から連続した線として視認可能な態様で配置されていた。しかしながら、本発明においては、発光部１０，３０の前方端２６（４６）から屈曲点２７（４７）までの部位を、運転席に着座した運転者のアイポイントから「道路に標示された線」１００へと視線を向けた場合に、その「道路に標示された線」１００から連続した線として視認可能な態様とすることを、規定軸に対する発光部１０，３０の傾き（即ち、角度）を変更可能に構成することで実現しても良い。ここで言う規定軸とは、前方端２６（４６）から規定方向に向かって延びる軸である。
【００５４】
そして、発光部１０，３０の傾きを変更可能とする構成は、図９に示すように、複数の発光素子１２，３２がＮ（またはＬ）個（Ｎ（Ｌ）は、２以上の整数）×Ｍ個（Ｍは、２以上の整数）のマトリクス状に配置された発光基板１４，３４を有した発光部１０，３０において、マトリクス状に配置された発光素子１２，３２の行列を跨いで発光素子１２，３２を発光することで実現すれば良い。すなわち、本発明における発光部１０，３０は、複数の発光素子１２，３２を複数の列状に配置することで構成しても良いし、液晶ディスプレイやその他の表示装置にて構成しても良い。
【００５５】
また、発光部１０，３０の傾きを変更可能とする構成は、モータやギアを含む駆動機構によって実現しても良い。
これらの発光部１０，３０の傾きを変更可能とする構成は、特許請求の範囲に記載された変更部の一例である。
【００５６】
さらに、上記実施形態における誘目対象として、「道路に標示された線」１００、サイドミラー１０５、車両に搭載されたヘッドアップディスプレイからの映像が投影される投影部１１０を想定していたが、本発明における誘目対象は、これらに限るものではない。例えば、誘目対象として、周知の電子ミラーを想定しても良いし、インストルメントパネル内に設けられる各種メータやインジケータを想定しても良い。
【００５７】
なお、上記実施形態の構成の一部を省略した態様も本発明の実施形態である。また、上記実施形態と変形例とを適宜組み合わせて構成される態様も本発明の実施形態である。また、特許請求の範囲に記載した文言によって特定される発明の本質を逸脱しない限度において考え得るあらゆる態様も本発明の実施形態である。
【００５８】
上記実施形態の説明で用いる符号を特許請求の範囲にも適宜使用しているが、各請求項に係る発明の理解を容易にする目的で使用しており、各請求項に係る発明の技術的範囲を限定する意図ではない。
【符号の説明】
【００５９】
１…情報提示装置  １０，３０…発光部  １２，３２…発光素子  １４，３４…発光基板  １６，３６…ハウジング  １８，３８…第１壁部  ２０，４０…第２壁部  ２２，４２…ベゼル  ２４，４４…レンズ  ２６，４６…前方端  ２７，４７…屈曲点  ２８，４８…後方端  ５０…制御系  ５２…制御部  ５４…ＲＯＭ  ５６…ＲＡＭ  ５８…ＣＰＵ６２…情報取得部  ７０…主発光部  ７２…副発光部  ８０，８２，１２０…ドアトリム  ８４…接合部  ８６…上端部  １０５…サイドミラー  １１０…投影部  １２２…第１部位  １２４…第２部位  １２５…ドアノブ
【図１】
0006512782.tif 000002
【図２】
0006512782.tif 000003
【図３】
0006512782.tif 000004
【図４】
0006512782.tif 000005
【図５】
0006512782.tif 000006
【図６】
0006512782.tif 000007
【図７】
0006512782.tif 000008
【図８】
0006512782.tif 000009
【図９】
0006512782.tif 000010